(57)【要約】【課題】画鋲と磁石とを一体化した係止具は、軟質面へも硬質面へも掲示物類を係止出来て便利であるが、単に一体化しただけでは画鋲の針での怪我などがあり危険である。【解決手段】中空円筒の容器２Ａの中空部に、押え部５の中央下端部に針６を設けた画鋲を収納し、更に容器２Ａの側面部８の上端部に平板リング状の磁石３を装着のマグネット画鋲１にて解決した。押え部５としては磁石３と吸着特性を示す鉄製円板状物を使用し、掲示物類を画鋲で係止していない時は、図２（イ）の様に、押え部５と磁石３とは常に吸着し、即ち画鋲は上端部の方へ移動し吸着されて、針６もそれに伴い動き容器２Ａの中空部内に収納され安全となる。画鋲で係止の時は、図２（ロ）の様に、押え部５を上方からＰの方向へ押下げて針６を容器２Ａの外へ押出し係止する。磁石で係止時は、針６が容器２Ａ内に収納された図２（イ）の状態で磁石３を使用し係止するので安全である。【選択図】図２
2018062166.tif 000002
【特許請求の範囲】
【請求項１】
中空状の容器２の中空部分に押え部５と針６とから成る画鋲を収納し、更にその容器２と画鋲とには、磁石３及びその磁石３に吸着特性を示す吸着板４とを一対として設ける事を特徴としたマグネット画鋲１において；
（イ）容器２としては、周囲を剛性ある素材で形成した内部が中空状の容器２であって、その水平断面形状が円形や楕円形をした円柱、或は多角形状をした角柱、又はそれらを組合せた柱状形状のもので、且つその容器２の上端部には画鋲の押え部５を押し下げる為の開口部を設け、その上端部とは反対側の底面部９には画鋲の針６を出し入れ可能な孔７を設けた構成である事、
（ロ）画鋲は押え部５と１本或は複数本の針６とから成るものであり、複数本の場合には針６は互いに並行状となる様に押え部５に設け、更にその画鋲の容器２への収納は、針６が容器２の底面部９の方を向く様に、押え部５は上端部の方を向く様に収納し、また針６と底面部９の孔７とは互いに対応した位置に設けると共に、収納された画鋲は容器２の中空部内を側面部８に沿って、上端部と底面部９との間を移動可能である様に形成する事、
（ハ）互いに吸着特性を示す一対の磁石３と吸着板４とは、その一方は容器２の側面部８の上端部の方に、他方は画鋲の押え部５の方に設け、且つその一対物は互いに吸着可能な部位に対応させ設けておき、その一対物が吸着の時は、容器２の中空部を移動可能に収納の画鋲の方が側面部８の上端部の方へ移動し吸着すると共に、画鋲の針６もそれと共に移動し容器２内に収納される構成とし、更に、掲示物類を針６で係止時に容器２の底面部９の外へ押し出される針６の長さＭよりも、一対物が吸着した時の押え部５の下端面と容器２の底面部９の上端面との間の間隔Ｎが小さくならない様に形成し、画鋲の針６がその先端まで容器２内に収納される構造である事、
以上の特徴を有するマグネット画鋲１を使用し掲示物類を係止するが、画鋲で係止する時は容器２の底面部９の下に掲示物類を置き、容器２の上端部より画鋲の押え部５を押し下げて画鋲の針６を底面部９の孔７から押し出し係止し、また磁石３で係止する時は、一対で設けた磁石３と吸着板４とを吸着させ画鋲の針６を容器２の中空部に収納した後に、磁石３で掲示物類を抑えて吸着係止する事を特徴としたマグネット画鋲。
【発明の詳細な説明】
【技術分野】
【０００１】  本発明は、掲示物類を木や石膏ボードなどの軟質材に係止する際に使用する画鋲と、鉄などの硬い材質で吸着特性を示すものに係止する為に使用する磁石とを一体化したマグネット画鋲に関するものである。
【背景技術】
【０００２】  掲示物類を係止する際、軟質系の掲示板等の場合には画鋲を、鉄等の様に硬いが磁石への吸着特性を示す掲示板等の場合には磁石を使用し係止する。従って、その画鋲と磁石とが別個の物でなく一体化したものがあれば大変便利である。その一体化したものとしては特許文献１〜特許文献５などが提案されている。【０００３】  しかし特許文献１のものは画鋲の針がむき出しになっているので、それが刺さったりしての怪我などが心配である。特許文献２〜４では針はむき出しにはなっていないが、誤って足で踏んだり手で押さえたりすると、使用されている伸縮性や弾性ある柔らかい部材類が変形して針が裸出し足や手に刺さったりなどの怪我が心配される。特許文献５のものは、柔らかい部材等は使用されてなく、また針は筐体の中に納まっているので上記の様な心配はないと思われるが、バネを用いているのでその調節や耐久性、複雑さなどの課題がある。
【先行技術文献】
【特許文献】
【０００４】
【特許文献１】特開平８−１３２７９１
【特許文献２】特開２００１−２１３０９３
【特許文献３】特開２００３−３２６８９３
【特許文献４】特開２００５−２９７４７４
【特許文献５】実登３１０１０７７
【発明の概要】
【発明が解決しようとする課題】
【０００５】  上述の様に磁石と画鋲とを一体化して、掲示板等が鉄の様に硬い面であっても或は木や石膏ボード等の様に軟質な面であっても、この一体化したマグネット画鋲を使用し便利に掲示物類を掲示板などに係止可能とすると共に、画鋲の針で怪我などの心配のない安全で使い易いマグネット画鋲を提供する事を目的とする。
【課題を解決するための手段】
【０００６】  中空状の容器２の中空部分に押え部５と針６とから成る画鋲を収納し、更にその容器２と画鋲とには、磁石３及びその磁石３に吸着特性を示す吸着板４とを一対として設けたマグネット画鋲１により上記課題を解決した。【０００７】  容器２としては、剛性ある素材で形成した容器２で、その内部が中空状の且つその水平断面形状が円形や楕円形をした円柱、或は多角形状をした角柱、又はそれらを組合せた柱状形状のものを使用し、その容器２の上端部には、そこから指等を挿入して画鋲の押え部５を押し下げる為の開口部を設け、更にその上端部とは反対側の底面部９には画鋲の針６を出し入れ可能な孔７を設けておく。【０００８】  画鋲は押え部５と１本或は複数本の針６とから成るものであり、複数本の場合には針６は互いに並行状となる様に押え部５に設けると共に、その画鋲の容器２への収納は、針６が容器２の底面部９の方を向く様に、押え部５は上端部の方を向く様に収納し、更に針６と底面部９の孔７とは互いに対応し合う位置に設ける。また、収納された画鋲は容器２の中空部内を側面部８に沿って、上端部と底面部９との間をスライド移動可能である様に形成しておく。【０００９】  一対物としての磁石３と吸着板４とを、その一方は容器２の側面部８の上端部の方に、他方は画鋲の押え部５の方に、互いに吸着可能な部位に対応させ設け、その一対物が吸着の時は、容器２の中空部内を移動可能な画鋲の押え部５の方が側面部８の上端部の方に移動し吸着され、針６もその押え部５の動きと共に容器２内に収納保持される構成とした。【００１０】  掲示物類を画鋲の針６を使用し係止する時に容器２の底面部９の外へ出ている針６の長さＭ（図２の（ロ）のＭ）よりも、押え部５と磁石３とが吸着した時の押え部５の下端面と容器２の底面部９の上端面との間の間隔Ｎ（図２の（イ）のＮ）の方が大きいか同じである様に容器２の中空部は形成する。【００１１】  以上の特徴を有するマグネット画鋲１を使用し掲示物類を係止するが、画鋲で係止する時は容器２の底面部９の下に掲示物類を置き、容器２の上端部より画鋲の押え部５を押し下げて画鋲の針６を底面部９の孔７から押し出し係止し、また磁石３で係止する時は、一対で設けた磁石３と吸着板４とを吸着させ画鋲の針６を容器２の中空部に収納した後に、磁石３で掲示物類を掲示板等の面に押えて係止する方法により課題を解決した。
【発明の効果】
【００１２】  本発明は、掲示物類を軟質材に係止する際に使用の画鋲と、磁石へ吸着特性を示すものに係止する際に使用の磁石とを一体化し、画鋲としても磁石としても使用出来る大変便利なマグネット画鋲１を提供するものである。【００１３】  その際、剛性素材で作成の中空状の容器２を使用し、且つ互いに吸着特性を有する磁石３と吸着板４の一対物をも使用し、画鋲の針６が手や足などを傷つけたりする心配のない構成を工夫したものである。【００１４】  即ち、吸着特性を有する磁石３と吸着板４の一対物の片方は、容器２の中空部内を上下方向に移動可能に収納した画鋲の押え部５の方に設け、他の片方は容器２の上端部の方に設け、その一対物が吸着し合った時には容器２の中空部内を移動可能に設けた画鋲が容器２の上端部の方に吸着され、それに伴い画鋲に設けた針６も孔７から容器２の中空部内に収納される構造としたものである。【００１５】  更に、容器２の中空部は、収納される針６の長さＭよりも、針６を収納する容器２内の収納用間隔Ｎの方が大きいか同じである様に形成しているので、針６の先端まで収納される。従って、針６は係止用として使用している時も使用してなく保管している時も裸出の状態となることはなく、刺さったりする心配もなく安全である。【００１６】  また、本発明のマグネット画鋲１には伸縮自在部品や弾性ある部材などは使用してないので、誤って足で踏んだり手で押さえたりした時でも容器などが変形したりしての怪我などの心配はなく、更には、バネ部品なども使用していないのでシンプルな構成である上に，画鋲や磁石３での係止操作も簡単なので、大変使い易く安全であり且つ製作も廉価に見込めるものである。
【図面の簡単な説明】
【００１７】
【図１】平板リング状の磁石３を使用の中空円筒状のマグネット画鋲１の平面図（イ）、正面図（ロ）、底面図（ハ）。
【図２】図１の（イ）のＸ―Ｘ’断面図。（イ）は磁石３と画鋲の押え部５とが吸着した図、（ロ）は押え部５を指で押下げ、針６を孔７から容器２Ａの外へ押出した図。
【図３】凸状形状の磁石３を使用の中空円筒状のマグネット画鋲１の平面図（イ）、正面図（ロ）、底面図（ハ）。
【図４】図３の（イ）のＹ―Ｙ’断面図。（イ）は磁石３と吸着板４とが吸着した図、（ロ）は押え部５を指で押下げ、針６を孔７から容器２Ａの外へ押出した図。
【図５】針６を２本使用の中空四角柱状のマグネット画鋲１の平面図（イ）、正面図（ロ）、底面図（ハ）。
【図６】図５の（イ）のＺ―Ｚ’断面図。（イ）は磁石３と画鋲の押え部５とが吸着した図、（ロ）は押え部５を指で押下げ、針６を孔７から容器２Ｂの外へ押出した図。
【発明を実施するための形態】
【００１８】  本発明は、掲示物などの係止によく使われている画鋲と磁石とを合体したマグネット画鋲１を提供するもので、中空状の容器２、押え部５と針６とから成る画鋲、磁石３、吸着板４等から成るものである。
【００１９】  中空状の容器２としては、その水平断面形状が円形や楕円形等の円柱、多角形の角柱、或はそれらを組み合わせた柱状形であって、周囲を剛性ある素材で囲んで中空状を形成の容器２を使用する。
【００２０】  その容器２の中空部分には、剛性ある素材で形成の押え部５と針６とから成る画鋲を、針６の尖った先端が底面部９の方を向き、押え部５は容器２の側面部８の上端部の方に位置する様に収納する。更に、容器２の底面部９には画鋲の針６の径より大きい孔７を、針６に対応する位置に針が真っすぐに挿入可能な様に貫通させておき、画鋲が容器２の中空部を側面部８の上端部と下端部（底面部９）の間を上下方向へ移動する時には、針６も孔７を自在に上下方向へ移動可能な様に設けておく。なお、その時には画鋲の押え部５の端部も容器２の側面部８の内壁面に沿い上下方向へスライド移動するので、その押え部５の端部側面も容器２の側面部８の内壁側面も、その移動がスムーズに可能な様に形成しておく。
【００２１】  画鋲は押え部５と針６が一体のものであるので、針６で掲示物類を係止する時には、この押え部５を指等で押せば、針６も押されて孔７から容器２の外へ出て掲示物類を刺し係止出来る。この針６は、１本或は複数本を押え部５に設けるが、複数本の場合には針６は互いに並行状となる様に設ける。
【００２２】  なお、この押え部５を指等で押す時は、容器２の上端部の方から指等で押すので、その上端部にはその指等が挿入可能な開口部を設けておく。また、針６が複数本の場合は針６で係止する箇所が複数個所となり、１本の場合よりもしっかりと係止出来るという効果が得られる。そうした場合には、針６の長さを短くも出来るので、その時は容器２の中空部内の間隔Ｎ（図２の（イ）や段落「００２６」参照）も小さく出来て、容器２が即ちマグネット画鋲１が小型になるというメリットも得られる。
【００２３】  画鋲の針６は、それが掲示物類を係止している時以外に容器２の外へ出ていると大変危険である。その為に本発明では、磁石３と吸着板４、即ち互いに吸着特性を有する磁石３と吸着板４の一対物を使用する事により、その危険性のないマグネット画鋲１の提供を可能とした。即ち、その一対物を、一方は容器２の側面部８の上端部に、他方は画鋲の押え部５に装着或は形成等の方法でそれぞれに設け、且つその一対物同志は吸着可能な部位に対応させ設ける方法により可能としたものである。
【００２４】  例えば、磁石３を容器２の側面部８の上端部に設けた場合には、吸着板４は画鋲の押え部５の方に設けて両者を吸着させれば、容器２の中空部を上下方向へ移動可能な押え部５の方が側面部８の上端部の方へ移動し吸着する。この様に上端部の方に押え部５が移動すれば、押え部５と一体の針６も一緒に上端部の方へ移動し容器２の中空部の中へ収納されて危険性がなくなる。
【００２５】  磁石３は画鋲の押え部５の方に設けても支障なく、この時には吸着板４は側面部８の上端部の方に設ける。なお、磁石３と吸着板４とは互いに吸着特性を示すものであれば複合材であっても支障ない。例えば、押え部５を磁石３や吸着板４と同様の吸着特性のある素材を使用し形成しても支障ない。
【００２６】  画鋲の針６を容器２の中空部内に収納する時は、その針６の尖った先端部もきちんと収納する必要がある。その為には、図２の（ロ）に示す掲示物類を係止する時に容器２の外へ押し出される針６の長さＭと、図２の（イ）に示す針６が容器２の中空部内に収納された状態での押え部５と底面部９との間の間隔Ｎとを比較した時に、ＭよりＮが小さい時は針６の先端部分が容器２より裸出した状態となり危険であるので、ＮはＭより小さくならない様に形成しておく必要がある。
以下、実施例にて本発明について更に説明する。
【実施例１】
【００２７】  本実施例は、中空の円筒状物を容器２Ａとして使用し、その中空部に押え部５と針６とから成る画鋲を収納し、更に容器２Ａの側面部８の上端部に磁石３を装着して成るマグネット画鋲１の実施例で、図１にその平面図（イ）、正面図（ロ）、底面図（ハ）を、図２に図１の（イ）のＸ−Ｘ’断面図を示す。【００２８】  図１と図２に示すマグネット画鋲１において、容器２Ａとしては水平断面形状が円形状をした中空の円筒状物を使用し、その側面と底面には硬質樹脂で形成の側面部８と底面部９とを設け、その側面部８の上端部は開放状としておく。また、底面部９の中央部には画鋲の針６の太さよりひとまわり大きい孔７をひとつ、垂直状に貫通させておく。【００２９】  画鋲は押え部５と針６から成り、押え部５としては磁石３へ吸着特性を示す剛性ある鉄で作成の円板状物を使用し、針６はその押え部５の中央部に底面部９の孔７と対応させて直角状に１本を設けた。この押え部５は磁石３へ吸着特性を示す鉄製なので、吸着板４の役割をも果たすものである。この様に形成の画鋲を、上記の容器２Ａの中空部に、図２の様に針６を底面部９の方に向け、押え部５は側面部８の上端部の方に向け収納する。【００３０】  押え部５の円板は、それを容器２Ａの底面部９に並行状に収納し、その並行状のままで押え部５を側面部８の上端部と下端部（底面部９の上面部）との間で上下方向にスライド移動させた時に、その移動がスムーズに可能な様に形成しておく。【００３１】  更に、側面部８の上端部には、画鋲の押え部５への吸着特性を示す剛性ある平板リング状の磁石３を装着する。その際、そのリング状の磁石３の内径は押え部５の円板の直径よりも小さく且つ人の指が挿入可能な開口スペースを有する形状としておく。この様にしておけば、容器２Ａの上端部も磁石３でカバーされて画鋲は常に容器２Ａの中に保持され、且つその開口スペースから押え部５を指で押し下げて針６を押し出す事の出来るマグネット画鋲１が得られる。【００３２】  本実施例のマグネット画鋲１は以上の構成から成るもので、一対物である鉄製の押え部５が磁石３の方へ吸着されると、押え部５に一体形成されている針６も一緒に容器２の中空部内に収納されて、針６の先端部による事故を防止する構造となっている。その際、針６はその先端まで容器２Ａ内に、図２の（イ）の様にきちんと収納される事が安全上大切である。従って、図２の（ロ）のＭ（画鋲使用時に底面部９から外へ出ている針６の長さ）よりも、図２の（イ）のＮ（押え部５が磁石３に吸着した時の押え部５の下端面と容器２Ａの底面部９の上端面との間の間隔）が小さくならない様に、容器２Ａの中空部を形成しておく事が必要である。本実施例ではＭとＮとは同じになる様に形成した。【００３３】  以上の様に作成のマグネット画鋲１の使用方法について説明する。
マグネット画鋲１は、それを掲示物係止に使用していない時は、図２の（イ）の様に、磁石３に画鋲の押え部５を吸着させ、画鋲の針６が容器２Ａ内に収納された状態にして保管しておく。【００３４】  掲示物を木や石膏ボード等の軟質面の掲示板に掲示の時は針６を使用する。その時は、掲示板の上に置いた掲示物の上に、図２の（イ）の状態のマグネット画鋲１を、底面部９が掲示物に接する様に置いて押え部５をＰ方向へ指で押し、図２の（ロ）の様に針６を孔７から押し出して掲示物を刺して掲示板へ係止する。【００３５】  この係止した掲示物を取り外したい時は、例えばマグネット画鋲１の容器２Ａの側面部８の部分を指でつかみ引っ張れば、針６は掲示板から抜けて取り外す事が出来る。その時、針６が底面部９の外に出た状態のままの時は、磁石３部分が下向きに針６部分が上向きになる様にすると、押え部５が針６と共に磁石３に吸引され吸着し、針６は容器２Ａの中に図２の（イ）の状態で収納され安全な状態となる。【００３６】  磁石が吸着する面に掲示物を掲示する場合には磁石３の方を使用するが、その時は、マグネット画鋲１は針６が容器２Ａの中に収まったままの状態（図２の（イ）の状態）で、磁石３の面を掲示物の面に置けば固定係止出来る。掲示物を取り外したい時はマグネット画鋲１を引っ張れは外れ、掲示物を取り外す事が出来る。それらの操作中も掲示物を係止中も、磁石３と押え部５とは吸着しているので、針６は容器２Ａの中に収納されていて安全である。【００３７】  以上の通り、本発明のマグネット画鋲１は操作が簡単で使い易い上に、押え部５を磁石３へ吸着する素材で一対物として作成した結果、使用中も保管中も針６が裸出し怪我をするという心配のない安全な物であり、更にはバネや弾性物なども使用してないので構造もシンプルであるという特徴も有するものである。
【実施例２】
【００３８】  本実施例２が実施例１と異なる主要な点は、一対物の形状やそれを設ける部位の入れ替えなどであり、容器２Ａや画鋲などの形状等は実施例１と同様である。図３にその平面図（イ）、正面図（ロ）、底面図（ハ）を、図４に図３の（イ）のＹ−Ｙ’断面図を示す。【００３９】  一対物としては、磁石３と、それに吸着特性を示す剛性ある鉄で作成の吸着板４とを使用し、磁石３は画鋲の押え部５の方へ、吸着板４は容器２Ａの側面部８の上端部の方へ、実施例１とは逆になる様に互いに入れ替えて装着した。【００４０】  その際、吸着板４としては実施例１の磁石３と同様の形状のものを、即ち平板のリング状の吸着板４を使用したが、磁石３の方は、実施例１の押え部５と同様の形状の円板状物ではあるが、その中央部が上に盛り上がった凸状の円板状物を使用し、それを押え部５の上面に装着した。【００４１】  本実施例で凸状の磁石３を使った理由は、押え部５の上面に装着の磁石３の上面端部が吸着板４で押えられる形になるために、もし磁石３が実施例１の押え部５と同様の上面がフラットな形状であれば、磁石３で掲示物を係止時に、その掲示物と磁石３との間に吸着板４の厚みに相当する空間が出来てしまい、その為に磁石３が掲示物や掲示板から離れた状態となり吸着出来ない、即ち掲示物を係止出来ない事態が生じる為である。【００４２】  その為に、その空間の厚み分だけこの磁石３の中央部分を凸状に盛り上がらせた形状として、磁石３が確実に掲示物や掲示板に接して吸着係止出来る形状としたものである。この凸状盛り上がりは不足したら空間が残ってしまうし、盛り上がらせ過ぎると針６が孔７から外へ出て危険な場合があるので、盛り上がらせに際しては、吸着板４の厚みや段落００３２に記載の針の長さＭと容器２内の間隔Ｎとの関係などを勘案し行う必要がある。【００４３】  なお、押え部５に装着の磁石３とは別の磁石を、容器２Ａの側面部８の上端部に装着の吸着板４の上面等に装着等すれば、それを使っても掲示物類の係止は可能であり、その場合にはこの凸状の盛り上げは必ずしも必要ではない。
以上の構成の本実施例２のマグネット画鋲１も、その使い方や効果は実施例１と同様で安全で使い易いものである。
【実施例３】
【００４４】  本実施例３が実施例１及び２と異なる主要な点は、容器２の形状や画鋲の押え部５の形状、針６の使用本数、磁石３の形状や個数などである。図５にその平面図（イ）、正面図（ロ）、底面図（ハ）を、図６に図５の（イ）のＺ−Ｚ’断面図を示す。【００４５】  図５と図６とに示す様に、本実施例のマグネット画鋲１の容器２としては、水平断面形状が長方形状をした中空の四角柱状の容器２Ｂを使用し、その側面と底面は、実施例１や２と同様に、硬質樹脂で形成の側面部８と底面部９とから成り、側面部８の上端部は開放状である。ただ、底面部９に設ける孔７は、針６の本数の２本に合わせて２ヶを、実施例１や２と同様に針６に対応した位置に設けた。【００４６】  上記の通り本実施例の容器２Ｂは四角柱状であるので、本実施例の画鋲の押え部５の形状も円板状ではなくそれに合わせた長方形状のものを使用する。その長方形状の押え部５は実施例１と同様に磁石３への吸着特性を示す鉄を使用し作成し、その押え部５には同じ長さの２本の針６を互いに並行状に且つ底面部９の二つの孔７に対応させて設け画鋲を形成し、それを容器２Ｂの中空部内に収納する。その際、画鋲や押え部５、針６等の容器２Ｂ内への収納の仕方やその中空部内での移動のスムーズさなども実施例１と同様にしておく。【００４７】  磁石３は長方形をした平板状の物を２個使用し、それを容器２Ｂの相対する側面部８のそれぞれの上端部に図５や６の様に装着する。この様に相対した側面部８の上端部に装着すれば、この磁石３も実施例１のリング状の磁石３と同様に、容器２内に画鋲を保持する役目を果たすと共に、実施例１と同じ要領で使用し掲示物類を係止する事が出来る。【００４８】  なお、上記の２個の磁石３とは別の磁石を使用し、それを例えば容器２Ｂの側面部８の外側部分に装着すれば、それを利用しても掲示物類を係止する事が出来る。
以上の構成の本実施例３のマグネット画鋲１も、その使い方や効果は実施例１や２と同様で安全で使い易いものである。
【符号の説明】
【００４９】１、マグネット画鋲
２、２Ａ、２Ｂ、容器
３、磁石
４、吸着板
５、押え部
６、針
７、孔
８、側面部
９、底面部
【図１】
2018062166.tif 000003
【図２】
2018062166.tif 000004
【図３】
2018062166.tif 000005
【図４】
2018062166.tif 000006
【図５】
2018062166.tif 000007
【図６】
2018062166.tif 000008